(57)【要約】【課題】本発明は、支持具の厚さを薄くして、天井に取り付けた場合に極力目立たないようにすることを課題としている。【解決手段】支持具１は、基体２の中に、抜止具４、伝達具５及び振り分けばね６を内蔵している。抜止具４は基体２に摺動可能に、伝達具５は基体２に回動可能に設けられる。吊掛具８は、上端部に、伝達具５を回動する駆動部２４を設け、下端部に取手具２５を固定し、その下部に引掛具２１が回動及び上下動可能に取り付けられている。取手具２５には、下方に開口する断面円形状凹部の収容部３１を設けると共に、引掛具２１には、上端部に円柱状の表示突起２９を設けてあり、表示突起２９を収容部３１に挿入して遊嵌し、取手具２５の上方から弾性体２７を介してねじ２６で引掛具２１を回動及び上下動可能に取り付けてある。【選択図】図１
2008006119.tif 000002
【特許請求の範囲】
【請求項１】
支持具と吊掛具を有し、支持具は、挿入孔を設けた基体の中に可動の抜止具と、係合部を設けた伝達具とを有し、抜止具は、伝達具によって動かされて挿入孔の一部を閉塞する閉塞部を有して成り、吊掛具は、シャフトの上端部に、挿入孔から挿入可能な挿入部を設け、挿入部には、伝達具の係合部に係合させて回動することによって伝達具を動かすことができる駆動部を設けて成り、駆動部が伝達具を介して抜止具を動かし、閉塞部が挿入孔の一部を閉塞することによって挿入部を抜け止めして吊掛具を支持し得るように成し、吊掛具を回動することによって、吊掛具を支持具から着脱することができる吊掛装置において、吊掛具は、シャフトの下端部に引掛具を回動可能に設けると共に、引掛具の上部近傍に、シャフトの太さよりも太さ方向の外方に突出している取手具をシャフトに固定して成り、引掛具と取手具を一緒に持って吊掛具を回動操作できるようにしたことを特徴とする吊掛装置。
【発明の詳細な説明】
【技術分野】
【０００１】
本発明は、主に、室内の天井に取り付けて、物干具や観葉植物や絵画等を吊り下げて使用する吊掛装置に関するものである。
【背景技術】
【０００２】
従来より、前述のような吊掛装置として特開平６−１２１７２５号公報に記載された発明が提案されている。この従来例においては、吊掛具の駆動部と支持具の係合部は、着脱の操作時には係合すると共に、使用時には、係合が外れて十分離れていなければならないものである。
【０００３】
なぜなら、使用時において、吊掛具の駆動部と支持具の係合部が係合していると、吊り下げられている吊掛具に洗濯物が吊り下げられている状態で、人や風が洗濯物に当たって、洗濯物を回転する力が加わった時に、吊掛具が回動することがあり、そうすると駆動部が係合部を介して伝達具を回動し、抜止具を開放する方向に摺動して、吊掛具が脱落してしまうことがあるためである。また、吊掛具の駆動部と支持具の係合部が係合していなくても、十分離れていない場合には、吊掛具が揺動した時に係合して、上記と同様に、吊掛具が脱落する危険がある。
【０００４】
吊掛具の駆動部と支持具の係合部が離れていなければならない距離について説明する。
駆動部と係合部との係合量（厚さ方向の量）は、小さすぎると、繰り返しの使用で回動できなくなってしまったり、少しでも斜め状態で係合すると回動できなかったりするため、ある程度の寸法が必要である。また、駆動部と係合部との係合が外れている使用時には、吊掛具が揺動しても駆動部と係合部が係合しないように、係合部の下端面から駆動部の上端面までの隙間が必要である。
従って、吊掛具の駆動部と支持具の係合部が、使用時に離れていなければならない距離は、上記のように、係合部の厚さ方向の量と、隙間量を加えた寸法となり、かなり大きいものである。
【特許文献１】特開平６−１２１７２５号公報
【発明の開示】
【発明が解決しようとする課題】
【０００５】
天井に取り付ける支持具は、美観を損なわないようにするために、なるべく薄いデザインのものが求められているのが現状であるが、上記のように従来例においては、吊掛具の駆動部と支持具の係合部が、使用時に離れていなければならない距離は大きいものであって、支持具の中には吊掛具の駆動部が上下するための大きなスペースが必要であり、支持具の厚さが厚くなってしまうという問題がある。
【０００６】
また、薄く見せるために、わざわざ天井に孔を開けて埋め込む方法もあるが、工事する手間やコストが増えてしまうという問題がある。
本発明は、支持具の厚さを薄くしても、使用中に吊掛具が脱落してしまう危険がないようにすること、また、天井に孔を開けて埋め込む必要がないようにすることを課題とするものである。
【課題を解決するための手段】
【０００７】
上記課題を解決するために、支持具と吊掛具を有し、支持具は、挿入孔を設けた基体の中に可動の抜止具と、係合部を設けた伝達具とを有し、抜止具は、伝達具によって動かされて挿入孔の一部を閉塞する閉塞部を有して成り、吊掛具は、シャフトの上端部に、挿入孔から挿入可能な挿入部を設け、挿入部には、伝達具の係合部に係合させて回動することによって伝達具を動かすことができる駆動部を設けて成り、駆動部が伝達具を介して抜止具を動かし、閉塞部が挿入孔の一部を閉塞することによって挿入部を抜け止めして吊掛具を支持し得るように成し、吊掛具を回動することによって、吊掛具を支持具から着脱することができる吊掛装置において、吊掛具は、シャフトの下端部に引掛具を回動可能に設けると共に、引掛具の上部近傍に、シャフトの太さよりも太さ方向の外方に突出している取手具をシャフトに固定して成り、引掛具と取手具を一緒に持って吊掛具を回動操作できるようにして成るものである。
【発明の効果】
【０００８】
以上のように本発明によれば、吊掛具の駆動部と支持具の係合部とを常に係合させておいたとしても、あるいは、その係合を外して少ししか離れていなかったとしても、吊掛具を支持具に支持させて引掛具に何かかけてある使用時において、引掛具は、シャフトの下端部に回動可能に設けられているので、引掛具が回動した場合でも、駆動部は回動せず、抜止具を開放する方向に摺動させることがなく、吊掛具は脱落する危険がない。
【０００９】
従って、吊掛具の駆動部と支持具の係合部とを常に係合させておいてもいいし、あるいは、その係合を外して離す距離を極めて小さくしてもよく、支持具内で吊掛具の駆動部が上下するスペースを極めて小さくすることができるので、吊掛具が脱落する危険を回避し、なおかつ、支持具の厚さを薄くして、天井に取り付けた場合に目立たたず美観を損なうことがないという効果がある。
【００１０】
また、支持具の厚さを薄くすることができるので、天井に孔を開けて埋め込む必要がなく、工事する手間やコストが増えることがないという効果もある。
【００１１】
さらに上記の効果に加えて、引掛具の上部近傍に、シャフトの太さよりも太さ方向の外方に突出している取手具をシャフトに固定して成るので、駆動部を回動するには、引掛具と取手具を一緒に持って回動操作しやすく、簡単な構造であるにもかかわらず、吊掛具を着脱する操作が簡単であるという効果がある。
【実施例１】
【００１２】
支持具１は、上方が開口する有底円筒状の円筒部９の周縁に鍔部１０を有し、鍔付き帽子を上下逆にしたような形状の基体２の中に、抜止具４、伝達具５及び振り分けばね６を内蔵し、裏面に蓋体３を被せ、表面にカバー７を被せて成るものである。
【００１３】
基体２の円筒部９には、底板の内面に直線溝の誘導部１２を設け、この誘導部１２の中央に円形の貫通孔の挿入孔１１を設けてある。鍔部１０には、２箇所に取付孔１３・１３を設け、その中間に三角形状の凹部３２を設けてある。基体２には、取付孔１３・１３に挿通する取付ねじを隠して美観を向上させるために、カバー７を被せるようになっている。
【００１４】
抜止具４は、中央側を円弧状に切り欠いて閉塞部１４を形成し、反対側には上方に突出する受動部１５を設けてあり、２つを一組として基体２の誘導部１２に、それぞれの閉塞部１４・１４を対向するように、摺動可能に設けられる。
【００１５】
伝達具５は、略円板状で、基体２の中に回動可能に収容され、一面側（下面側）に楕円形状溝の案内部１８を設けると共に、その中央に略半球形状の挿入凹部１６を設け、挿入凹部１６の上部内面を六角形にして係合部１７を設けてある。また、挿入凹部１６の底面は貫通している。
【００１６】
また、伝達具５の他面側（上面側）には、一部切り欠いて一段低い面を形成してあり、そこに突起３３を設け、振り分けばね６の一端が取り付けられるようになっている。この振り分けばね６は、他端が基体２の三角形状の凹部３２の頂部に挿入されて係合され、伝達具５を回動した時、中間点を境にして振り分けるものである。
【００１７】
一対の抜止具４・４の受動部１５・１５は伝達具５の案内部１８に係合するようになっており、伝達具５が回動すると、案内部１８と受動部１５・１５の係合により、抜止具４・４は摺動され、閉塞部１４・１４が基体２の挿入孔１１の一部を閉塞したり、開口したりするようになっている。なお、抜止具４に係合部を設けることも可能であり、この場合、別体の伝達具は不要であり、抜止具と伝達具が一体となる。
【００１８】
吊掛具８は、シャフト１９の上端にばね２２を介して頭体２０を設け、その上端部には、略半球形状の挿入部２３を設け、さらにその上部には、外形形状が六角形の駆動部２４を形成してある。この駆動部２４は、伝達具５の係合部１７と係脱するものである。
【００１９】
また吊掛具８は、シャフト１９の下端にシャフト１９よりも太い取手具２５を固定し、その下部にリング状の引掛具２１が回動及び上下動可能に取り付けられている。シャフト１９は、太いパイプの中に細いパイプを挿入してあり、伸縮できるようになっている。なお、本実施例では、取手具２５は、シャフト１９より太い略円柱形であるが、シャフト１９とほぼ同径の円柱から放射状に鰭状の突条を多数設けたものでもよく、シャフトの太さよりも太さ方向の外方に突出しているものであればよい。
【００２０】
取手具２５には、下方に開口する断面円形状凹部の収容部３１を設けると共に、引掛具２１の上端部には、シャフト１９よりも太い円柱状の表示突起２９を設けてあり、表示突起２９を収容部３１に挿入して遊嵌し、取手具２５の上方から弾性体２７を介してねじ２６で引掛具２１を回動及び上下動可能に取り付けてある。
【００２１】
弾性体２７は、圧縮ばねであって、ねじ２６を介して引掛具２１を押し上げようとするもので、引掛具２１の表示突起２９を取手具２５の収容部３１に収容する方向に力を作用する。表示突起２９が収容部３１に収容され、引掛具２１に荷重がかかっていない状態では、弾性体２７はほとんど圧縮されていない状態になるように設定されている。
【００２２】
また表示突起２９には、中間部外周に赤色の表示部３０を全周にわたって設けてある。さらにねじ２６の頭部下部には弾性体２７との間にすべり座金２８を介在させて、引掛具２１がスムーズに回動できるようにしてある。
【００２３】
引掛具２１に洗濯物等を掛けて荷重がかかると、弾性体２７が圧縮されて表示突起２９の一部が収容部３１の下部から露出するようになっている。そして、設定された荷重以上のものを掛けると、図８に示すように表示部３０が露出し、過荷重であることを警告し、取り付けられている天井が壊れることを防止するようになっている。また、引掛具２１に洗濯物等を掛けた状態においても、引掛具２１は回動可能である。
【００２４】
支持具１を組み立てるには、抜止具４・４を、支持具１の基体２の誘導部１２に、受動部１５・１５を上向きに、閉塞部１４・１４を対向するようにして（基体２の挿入孔１１は開口している状態に）配設し、受動部１５・１５が案内部１８に係合するように、伝達具５を被せ、伝達具５の突起３３に振り分けばね６を取り付け、その先端を基体２の凹部３２に係合させ、蓋体３を被着し、天井等に取付ねじで取り付け、最後にカバー７を被着する。
【００２５】
図１１に示すように、引掛具２１と取手具２５を手Ｈで一緒に持って、吊掛具８の挿入部２３を基体２の挿入孔１１から伝達具５の挿入凹部１６に挿入し、駆動部２４を係合部１７に押し当てて係合させ、右に９０度回転させると、伝達具５の案内部１８が抜止具４・４の受動部１５・１５を動かすので、抜止具４・４は誘導部１２に沿って中央（内側）に向かって摺動し、その閉塞部１４・１４が挿入孔１１の一部を閉塞する。閉塞された挿入孔１１は挿入部２３の直径よりも小さくなり、駆動部２４を係合部１７から離して、吊掛具８を下ろすと、挿入部２３が閉塞部１４・１４に抜け止めされ、吊掛具８は支持具１に支持される（図１、図２及び図９の状態）。
【００２６】
この状態では、駆動部２４と係合部１７は、多少隙間があってぴったりと係合してはいないが共に回動できる状態であり、係合している状態ということができるものであるが、引掛具２１は回動可能であり、引掛具２１に吊り下げられた洗濯物等に風や人間が当たって、洗濯物等を回転する力が加わった時にも、駆動部２４は回動せず、吊掛具８が脱落してしまうことはない。
【００２７】
なお、従来例のように引掛具が回動可能ではない吊掛具であると、駆動部と係合部の係合を外す距離と、さらにそこから十分に離す隙間距離を加えた寸法を下げなければならず、この実施例では、従来例に比べて、支持具をかなり薄くすることができる。
【００２８】
また、駆動部２４と係合部１７は係合している状態ではあるが、係合部１７が凹球面状になっているので、吊掛具８は、３６０度どの方向にも一定角度揺動することができるようになっている。さらに吊掛具８は、一定角度以上揺動すると、ばね２２が曲がって緩衝するようになっており、吊掛具８に揺動する方向に力がかかった場合でも、支持具１や吊掛具８が容易に壊れないようになっている。そして、吊掛具８が支持具１に支持された状態で引掛具２１に物干具や観葉植物や絵画等を吊り下げて使用したり、間隔を離して２つ取り付けて引掛具２１・２１に物干竿を掛け渡して使用したりするものである。
【００２９】
不使用時は、また図１１に示すように引掛具２１と取手具２５を手Ｈで一緒に持って、吊掛具８を持ち上げ、挿入部２３の駆動部２４を係合部１７に押し当ててぴったりと係合させて、左に９０度回転させると、伝達具５の案内部１８が抜止具４・４の受動部１５・１５を動かすので、抜止具４・４は誘導部１２に沿って外側に向かって摺動し、その閉塞部１４・１４が挿入孔１１から後退し、挿入孔１１の全体が開口し、吊掛具８の挿入部２３を抜き外すことができる状態となる（図４、図５及び図１０の状態）。
【００３０】
吊掛具８に吊り下げられている洗濯物等の重さ等で、挿入部２３の下部の球形の形状により、抜止具４・４が開放する方向（外側方向）に力を受けても、抜止具４・４の受動部１５・１５は、伝達具５の略楕円状の案内部１８に係合しているので、容易に吊掛具８は抜け落ちることはない。
【００３１】
なお本実施例においては、吊掛具８の下端部に取手具２５を固定し、その下部から引掛具２１の上部に設けた表示突起２９を挿入して、引掛具２１を取手具２５に弾性体２７を介して上下動及び回動可能に取り付けて成り、引掛具２１に設定以上の荷重がかかると、弾性体２７に抗して引掛具２１が下方に移動し、表示突起２９に設けた表示部３０が露出し、過荷重であることを警告するようになっている。
【００３２】
従って、回動操作するための取手具２５が過荷重の警告を表示する装置の一部を兼用しているため、部品数の少ない単純な構造で、上記の発明の効果に記載された効果と過荷重の警告を表示する効果を同時に奏することができるものである。また、表示突起２９はシャフト１９よりも太く、その全周にわたって表示部３０を設けてあると共に、回動操作をするために注目する取手具２５の下方から表示部３０が露出するので、過荷重の警告表示が使用者の目に留まりやすく、見落とす危険を回避することができるものである。
【図面の簡単な説明】
【００３３】
【図１】使用状態を示す一部断面図。
【図２】図１のＡ−Ａ線断面図（挿入孔の一部が閉塞している状態の横断面図。ただし吊掛具の挿入部は図示していない。）。
【図３】支持具の分解斜視図。
【図４】挿入孔の全体が開口し、吊掛具を支持具から抜き外せる状態の一部断面図。
【図５】図４のＢ−Ｂ線断面図（挿入孔の全体が開口している状態の横断面図。ただし吊掛具の挿入部は図示していない。）。
【図６】上部を省略した図４のＣ−Ｃ線断面図。
【図７】引掛具と取手具の分解斜視図。
【図８】過荷重を警告する状態の吊掛具下部の正面図。
【図９】蓋体を外した状態の支持具の平面図（挿入孔の一部が閉塞している状態）。
【図１０】蓋体を外した状態の支持具の平面図（挿入孔の全体が開口している状態）。
【図１１】引掛具と取手具を一緒に持って、吊掛具を回動操作する時の斜視図。
【符号の説明】
【００３４】
１    支持具
２    基体
４    抜止具
５    伝達具
８    吊掛具
１１    挿入孔
１４    閉塞部
１７    係合部
１９    シャフト
２１    引掛具
２３    挿入部
２４    駆動部
２５    取手具
【図１】
2008006119.tif 000003
【図２】
2008006119.tif 000004
【図３】
2008006119.tif 000005
【図４】
2008006119.tif 000006
【図５】
2008006119.tif 000007
【図６】
2008006119.tif 000008
【図７】
2008006119.tif 000009
【図８】
2008006119.tif 000010
【図９】
2008006119.tif 000011
【図１０】
2008006119.tif 000012
【図１１】
2008006119.tif 000013